(57)【要約】  ディスプレイを有するモバイル通信端末の運動アプリケーションのユーザーインタフェースを供給するための方法が提示される。本方法は、運動に関連する測定に対するコンテナのユーザーレイアウトを定義する第１の入力を受け取るステップ、運動に関連する測定とコンテナの各々を関連付けるための第２の入力を受け取るステップ、及び運動の開始が確定されたとき、ディスプレイ上にコンテナのユーザーレイアウトを表示するステップを有し、各コンテナは関連付けられた運動に関連する測定を示す。更に、モバイル端末内の運動アプリケーションに関連する方法、モバイル端末、システム、及びコンピュータプログラム製品もまた提示される。
2009536486.tif 000002
【特許請求の範囲】
【請求項１】
ディスプレイを有するモバイル通信端末の運動アプリケーションのユーザーインタフェースを提供するための方法であって、該方法は、
運動に関連する測定に対するコンテナのユーザーレイアウトを定義する第１の入力を受け取るステップ、
運動に関連する測定と前記コンテナの各々を関連付けるための第２の入力を受け取るステップ、及び、
運動の開始が確定されたとき、前記ディスプレイ上に前記コンテナの前記ユーザーレイアウトを表示するステップであって、各コンテナは関連付けられた運動に関連する測定を示すステップ、
を有する方法。
【請求項２】
スイッチ表示のユーザー入力が検出されたとき、第２のレイアウトを表示するステップ、を更に有する、請求項１に記載の方法。
【請求項３】
前記第２のレイアウトは前記ユーザーレイアウトと異なる、請求項２に記載の方法。
【請求項４】
前記運動に関連する測定の各々は、距離、時間、消費カロリー、スピード、歩数、歩行強度、マイル当たりの時間、キロメートル当たりの時間、距離グラフ、スピードグラフ、及び強度グラフを有するグループから選択された測定である、請求項１から３のいずれか１項に記載の方法。
【請求項５】
ユーザーレイアウトを定義する第１の入力を受け取る前に、
前記ディスプレイ上に利用可能なユーザーレイアウトのレイアウト選択肢を提示するステップ、
を更に有する、請求項１から４のいずれか１項に記載の方法。
【請求項６】
運動アプリケーションのユーザーインタフェースを備えるよう構成されたモバイル通信端末であって、該モバイル通信端末は、
運動に関連する測定に対するコンテナのユーザーレイアウトを定義する第１の入力を受け取るための手段、
運動に関連する測定と前記コンテナの各々を関連付けるための第２の入力を受け取るための手段、及び、
運動の開始が確定されたとき、ディスプレイ上に前記コンテナの前記ユーザーレイアウトを表示するための手段であって、各コンテナは関連付けられた運動に関連する測定を示す手段、
を有するモバイル通信端末。
【請求項７】
運動アプリケーションのユーザーインタフェースを備えるよう構成されたモバイル通信端末であって、該モバイル通信端末は、ディスプレイ、キーパッド及び制御器を有し、
前記制御器は、運動に関連する測定に対するコンテナのユーザーレイアウトを定義する第１の入力を受け取るよう構成され、
前記制御器は、運動に関連する測定と前記コンテナの各々を関連付けるための第２の入力を受け取るよう構成され、及び、
前記制御器は、運動の開始が確定されたとき、前記ディスプレイ上に前記コンテナの前記ユーザーレイアウトを表示するよう構成され、各コンテナは関連付けられた運動に関連する測定を示す、モバイル通信端末。
【請求項８】
モバイル通信端末内で実行されるとき、請求項１から５のいずれか１項に記載の方法を実行させるためのプログラムを記録したコンピュータ読み取り可能な記録媒体。
【請求項９】
外部装置からモバイル通信端末への入力を受け取るための方法であって、該外部装置は該モバイル通信端末の運動アプリケーションに使用可能であり、該方法は、
前記装置の存在を検出するステップ、
前記装置と前記モバイル通信端末の間の通信チャネルを設定するステップ、及び
データが前記装置内で利用可能となるとき、該データを前記運動アプリケーションに利用できるようにするステップ、
を有する方法。
【請求項１０】
前記装置はアクチュエータを有する装置であり、前記データは該アクチュエータが作動する際に生成されたユーザー入力データを有する、請求項９に記載の方法。
【請求項１１】
前記装置はオートバイ上に適合するよう構成され、前記方法は、
ラップにおける時間を決定するため、前記運動アプリケーションが前記ユーザー入力データを使用するステップ、
を更に有する、請求項９又は１０に記載の方法。
【請求項１２】
前記装置は動き感度センサーを有する装置であり、前記データは、該動き感度センサーが動きを検出する際に生成された動きデータを有する、請求項９又は１０に記載の方法。
【請求項１３】
前記装置は自転車上に適合するよう構成され、前記方法は、
前記自転車により走行される走路の粗さを決定するため、前記運動アプリケーションが前記動きデータを使用するステップ、
を更に有する、請求項１２に記載の方法。
【請求項１４】
前記装置はスケートボード上に適合するよう構成され、前記方法は、
前記スケートボードの乗り手の技術レベルを決定するため、前記運動アプリケーションが前記動きデータを使用するステップ、
を更に有する、請求項１２又は１３に記載の方法。
【請求項１５】
前記装置はグローバルポジショニングシステム受信機を有する装置であり、前記データは、該グローバルポジショニング受信機を使用して生成された位置データを有する、請求項９から１４のいずれか１項に記載の方法。
【請求項１６】
前記装置は自転車上に適合するよう構成され、前記方法は、
スピード及び位置を有するグループから選択された測定を決定するため、前記運動アプリケーションが前記位置データを使用するステップ、
を更に有する、請求項１５に記載の方法。
【請求項１７】
外部装置から入力を受け取るよう構成されたモバイル通信端末であって、該外部装置は該モバイル通信端末の運動アプリケーションに使用可能であり、該モバイル通信端末は、
前記装置の存在を検出するための手段、
前記装置と前記モバイル通信端末の間の通信チャネルを設定するための手段、及び
データが前記装置内で利用可能となるとき、該データを前記運動アプリケーションに利用できるようにするための手段、
を有するモバイル通信端末。
【請求項１８】
外部装置から入力を受け取るよう構成されたモバイル通信端末であって、該外部装置は該モバイル通信端末の運動アプリケーションに使用可能であり、該モバイル通信端末はディスプレイ、キーパッド及び制御器を有し、
前記制御器は、前記装置の存在を検出するよう構成され、
前記制御器は、前記装置と前記モバイル通信端末の間の通信チャネルを設定するよう構成され、及び
前記制御器は、データが前記装置内で利用可能となるとき、該データを前記運動アプリケーションに利用可能とするよう構成される、
モバイル通信端末。
【請求項１９】
運動中に使用されるシステムであって、該システムは、
データを保存するための手段、及び
該データを受信装置に送信するための手段
を有する外部のデータ供給装置を有し、
前記システムは、
前記外部のデータ供給装置から入力を受け取るよう構成されたモバイル通信端末を更に有し、該外部装置は該モバイル通信端末の運動アプリケーションに使用可能であり、該モバイル通信端末は、
前記装置の存在を検出するための手段、
前記装置と前記モバイル通信端末の間の通信チャネルを設定するための手段、及び
データが前記装置内で利用可能となるとき、該データを前記運動アプリケーションに利用できるようにするための手段、
を有する、システム。
【請求項２０】
モバイル通信端末内で実行されるとき、請求項９から１６のいずれか１項に記載の方法を実行させるためのプログラムを記録したコンピュータ読み取り可能な記録媒体。
【請求項２１】
モバイル通信端末内の運動スケジュールに計画された運動項目を追加するための方法であって、該方法は、
前記計画された運動項目における計画された開始時間に対するユーザー入力を受信するステップ、
前記計画された運動項目の計画された運動タイプに対するユーザー入力を受信するステップ、
前記計画された運動項目と関連付けられることになる音楽プレイリストを決定するステップ、及び
前記計画された運動項目と関連付けられた運動の開始が確定されたとき、前記プレイリストを再生するステップ、
を有する方法。
【請求項２２】
音楽プレイリストを前記決定するステップは、前記運動タイプに基づきプレイリストを決定するステップを有する、請求項２１に記載の方法。
【請求項２３】
音楽プレイリストを前記決定するステップは、
前記計画された運動項目に関連付けられた計画された運動の少なくともサブセットである少なくとも１つの運動期間を決定するステップであって、前記少なくとも１つの運動期間の各々は関連付けられた運動期間の強度を持つステップ、
前記少なくとも１つの運動期間の各々において、前記強度に合致する分当たりのビートの範囲を決定するステップ、
前記少なくとも１つの運動期間の各々において、少なくとも１つの曲を提示するステップであって、該曲は前記モバイル通信端末に利用可能であり、該曲は前記分当たりのビートの範囲に合致する分当たりのビートの測定量を有するステップ、及び、
前記少なくとも１つの運動期間の各々において、前記プレイリスト内に含まれていることになる前記少なくとも１つの曲の１つを選択するためのユーザー入力を受信するステップ、
を有する、請求項２１に記載の方法。
【請求項２４】
音楽プレイリストを前記決定するステップは、
前記計画された運動項目に関連付けられた計画された運動の少なくともサブセットである少なくとも１つの運動期間を決定するステップであって、前記少なくとも１つの運動期間の各々は関連付けられた運動期間の強度を持つステップ、
前記少なくとも１つの運動期間の各々において、前記強度に合致する分当たりのビートの範囲を決定するステップ、及び、
前記少なくとも１つの運動期間の各々において、前記モバイル通信端末に利用可能である１つの曲を決定するステップであって、該曲は前記分当たりのビートの範囲に合致する分当たりのビートの測定量を有し、該曲は前記プレイリスト内に含まれていることになるステップ、
を有する、請求項２１に記載の方法。
【請求項２５】
モバイル通信端末内の運動スケジュールに計画された運動項目を追加することを可能にするモバイル通信端末であって、該モバイル通信端末は、
前記計画された運動項目における計画された開始時間に対するユーザー入力を受信するための手段、
前記計画された運動項目の計画された運動タイプに対するユーザー入力を受信するための手段、
前記計画された運動項目と関連付けられることになる音楽プレイリストを決定するための手段、及び
前記計画された運動項目と関連付けられた運動の開始が確定されたとき、前記プレイリストを再生するための手段、
を有するモバイル通信端末。
【請求項２６】
モバイル通信端末内の運動スケジュールに計画された運動項目を追加することを可能にするモバイル通信端末あって、該モバイル通信端末はディスプレイ、キーパッド及び制御器を有し、
前記制御器は、前記計画された運動項目における計画された開始時間に対するユーザー入力を受信するよう構成され、
前記制御器は、前記計画された運動項目の計画された運動タイプに対するユーザー入力を受信するよう構成され、
前記制御器は、前記計画された運動項目と関連付けられることになる音楽プレイリストを決定するよう構成され、及び
前記制御器は、前記計画された運動項目と関連付けられた運動の開始が確定されたとき、前記プレイリストを再生するよう構成される、
モバイル通信端末。
【請求項２７】
モバイル通信端末内で実行されるとき、請求項２１から２４のいずれか１項に記載の方法を実行させるためのプログラムを記録したコンピュータ読み取り可能な記録媒体。
【発明の詳細な説明】
【技術分野】
【０００１】
本発明は、一般的にはモバイル端末に関連し、特にはモバイル端末の運動（ｅｘｅｒｃｉｓｅ）アプリケーションに関連する。
【背景技術】
【０００２】
ＧＳＭ、ＵＭＴＳ、Ｄ−ＡＭＰＳ及びＣＤＭＡ２０００のようなモバイル電気通信システムにおけるモバイル端末、又は携帯（セルラー）電話は、これまで長年使用されてきた。一昔前には、モバイル端末は、他のモバイル端末又は固定電話とのほぼ音声通信だけに対し使用されていた。より最近には、最新の端末の使用は、音声通信のみならず、ｗｗｗ／ｗａｐブラウジング、ビデオ電話通信、電子メッセージ（例えば、ＳＭＳ、ＭＭＳ、ｅｍａｉｌ、インスタントメッセージ）、デジタル画像又はビデオ記録、ＦＭラジオ、音楽再生、運動分析、電子ゲーム、カレンダー／スケジュール管理／時間プランナー、ワードプロセッサーなどの様々なその他のサービス及びアプリケーションも含めるよう拡大されてきた。更に、最新の端末は、ブルートゥースなどのローカルな接続能力を持ち、モバイル端末が多様な装置と通信することを可能にした。
【０００３】
モバイル端末の１つの比較的新しい使用は、それを運動追跡記録（ｅｘｅｒｃｉｓｅ  ｔｒａｃｋｉｎｇ）装置として使用することである。そして、端末は運動中の時間及び距離を測定及び記録することができる。しかし、ユーザーは、当初目的とした運動を実際に遂行し、実行するための意欲を時として欠いてしまう。
【０００４】
運動追跡記録に使用されるモバイル端末のユーザーインタフェース並びに機能性並びに内部及び外部の両相互運用性の改良を提供することが広く望まれる。
【発明の開示】
【０００５】
上記を考慮し、本発明の目的は、先に論じた問題を解決する、又は少なくとも低減することである。
【０００６】
概して、上記の目的は添付する独立特許請求項により達成される。
【０００７】
第１の発明の観点の第１の表現は、ディスプレイを有するモバイル通信端末の運動アプリケーションのユーザーインタフェースを提供するための方法であり、該方法は、運動に関連する測定に対するコンテナ（ｃｏｎｔａｉｎｅｒ）のユーザーレイアウトを定義する第１の入力を受け取るステップ、運動に関連する測定とコンテナの各々を関連付けるための第２の入力を受け取るステップ、運動開始が確定されたとき、ディスプレイ上にコンテナのユーザーレイアウトを表示するステップを有し、各コンテナは関連付けられた運動に関連する測定を示す。
【０００８】
本方法は、スイッチ表示のユーザー入力が検出されたとき、第２のレイアウトを表示するステップを更に有する。
【０００９】
第２のレイアウトはユーザーレイアウトとは異なることができる。
【００１０】
運動に関連する測定の各々は、距離、時間、消費カロリー、スピード、歩数、歩行強度、マイル当たりの時間、キロメートル当たりの時間、距離グラフ、スピードグラフ、及び強度グラフを有するグループから選択された測定とできる。
【００１１】
本方法は、ユーザーレイアウトを定義する第１の入力を受け取る前に、ディスプレイ上に利用可能なユーザーレイアウトのレイアウト選択肢を提示するステップを更に有することができる。
【００１２】
第１の発明の観点の第２の表現は、運動アプリケーションのユーザーインタフェースを備えるよう構成されたモバイル通信端末であって、モバイル通信端末は、運動に関連する測定に対するコンテナのユーザーレイアウトを定義する第１の入力を受け取るための手段、運動に関連する測定とコンテナの各々を関連付けるための第２の入力を受け取るための手段、運動開始が確定されたとき、ディスプレイ上にコンテナのユーザーレイアウトを表示するための手段を有し、各コンテナは関連付けられた運動に関連する測定を示す。
【００１３】
第１の発明の観点の第３の表現は、運動アプリケーションのユーザーインタフェースを備えるよう構成されたモバイル通信端末であって、モバイル通信端末は、ディスプレイ、キーパッド及び制御器を有し、制御器は運動に関連する測定に対するコンテナのユーザーレイアウトを定義する第１の入力を受け取るよう構成され、制御器は運動に関連する測定とコンテナの各々を関連付けるための第２の入力を受け取るよう構成され、及び制御器は運動開始が確定されたとき、ディスプレイ上にコンテナのユーザーレイアウトを表示するよう構成され、各コンテナは関連付けられた運動に関連する測定を示す。
【００１４】
第１の発明の観点の第４の表現は、モバイル通信端末内で実行されるとき、第１の発明の観点の第１の表現に従い本方法を実行させるためのプログラムを記録したコンピュータ読み取り可能な記録媒体である。
【００１５】
第２の発明の観点の第１の表現は、外部装置からモバイル通信端末への入力を受け取るための方法であって、外部装置はモバイル通信端末の運動アプリケーションに使用可能であり、本方法は、装置の存在を検出するステップ、装置とモバイル通信端末の間の通信チャネルを設定するステップ、データが装置内で利用可能となるとき、データを運動アプリケーションに利用できるようにするステップを有する。
【００１６】
装置は、アクチュエーターを有する装置とすることができ、データは、アクチュエーターが作動する際に生成されるユーザー入力データを有する。
【００１７】
装置は、オートバイ上に適合するよう構成することができ、本方法はラップ（ｌａｐ）における時間を決定するため、運動アプリケーションがユーザー入力データを使用することを更に有する。
【００１８】
装置は、動き感度センサーを有する装置とすることができ、データは、動き感度センサーが動きを検出する際に生成される動きデータを有する。
【００１９】
装置は、自転車上に適合するよう構成することができ、本方法は、自転車により走行される走路の粗さを決定するため、運動アプリケーションが動きデータを使用することを更に有する。
【００２０】
装置は、スケートボードに適合するよう構成することができ、本方法は、スケートボードの乗り手の技術レベルを決定するため、運動アプリケーションが動きデータを使用することを更に有する。
【００２１】
装置は、グローバルポジショニングシステム受信機を有する装置とすることができ、データは、グローバルポジショニング受信機を使用して生成される位置データを有する。
【００２２】
装置は、自転車上に適合するよう構成することができ、本方法は、スピード及び位置を有するグループから選択された測定を決定するため、運動アプリケーションが位置データを使用することを更に有する。
【００２３】
第２の発明の観点の第２の表現は、外部装置から入力を受け取るよう構成されたモバイル通信端末であって、外部装置はモバイル通信端末の運動アプリケーションに使用可能であり、モバイル通信端末は、装置の存在を検出するための手段、装置とモバイル通信端末の間の通信チャネルを設定するための手段、データが装置内で利用可能となるとき、データを運動アプリケーションに利用できるようにするための手段を有する。
【００２４】
第２の発明の観点の第３の表現は、外部装置から入力を受け取るよう構成されたモバイル通信端末であって、外部装置はモバイル通信端末の運動アプリケーションに使用可能であり、モバイル通信端末はディスプレイ、キーパッド及び制御器を有し、制御器は装置の存在を検出するよう構成され、制御器は装置とモバイル通信端末の間の通信チャネルを設定するよう構成され、制御器はデータが装置内で利用可能となるとき、データを運動アプリケーションに利用可能とするよう構成される。
【００２５】
第２の発明の観点の第４の表現は、運動中に使用されるシステムであって、システムは外部のデータ供給装置を有し、装置は、データを保存するための手段、及びデータを受信装置に送信するための手段を有し、システムは、外部のデータ供給装置から入力を受け取るよう構成されたモバイル通信端末を更に有し、外部装置はモバイル通信端末の運動アプリケーションに使用可能であり、モバイル通信端末は、装置の存在を検出するための手段、装置とモバイル通信端末の間の通信チャネルを設定するための手段、データが装置内で利用可能となるとき、データを運動アプリケーションに利用できるようにするための手段を有する。
【００２６】
第２の発明の観点の第５の表現は、モバイル通信端末内で実行されるとき、第２の発明の観点の第１の表現に従い本方法を実行させるためのプログラムを記録したコンピュータ読み取り可能な記録媒体である。
【００２７】
第３の発明の観点の第１の表現は、モバイル通信端末内の運動スケジュールに計画された運動項目を追加するための方法であって、本方法は、計画された運動項目における計画された開始時間に対するユーザー入力を受信するステップ、計画された運動項目の計画された運動タイプに対するユーザー入力を受信するステップ、計画された運動項目と関連付けられることになる音楽プレイリストを決定するステップ、及び計画された運動項目に関連付けられた運動の開始が確定されたとき、プレイリストを再生するステップを有する。
【００２８】
音楽プレイリストを決定するステップは、運動タイプに基づきプレイリストを決定するステップを有することができる。
【００２９】
音楽プレイリストを決定するステップは、計画された運動項目に関連付けられた計画された運動の少なくともサブセットである少なくとも１つの運動期間を決定し、少なくとも１つの運動期間の各々は関連付けられた運動期間の強度を持つステップ、少なくとも１つの運動期間の各々において、強度に合致する分当たりのビート（ｂｅａｔ）の範囲を決定するステップ、少なくとも１つの運動期間の各々において、少なくとも１つの曲を提示し、曲はモバイル通信端末に利用可能であり、曲は分当たりのビートの範囲に合致する分当たりのビート測定量を有するステップ、及び少なくとも１つの運動期間の各々において、プレイリスト内に含まれていることになる少なくとも１つの曲の１つを選択するためのユーザー入力を受信するステップを有する。
【００３０】
音楽プレイリストを決定するステップは、計画された運動項目に関連付けられた計画された運動の少なくともサブセットである少なくとも１つの運動期間を決定し、少なくとも１つの運動期間の各々は関連付けられた運動期間の強度を持つステップ、少なくとも１つの運動期間の各々において、強度に合致する分当たりのビートの範囲を決定するステップ、及び少なくとも１つの運動期間の各々において、モバイル通信端末に利用可能である１つの曲を決定し、曲は分当たりのビートの範囲に合致する分当たりのビート測定量を有し、曲はプレイリスト内に含まれていることになるステップを有する。
【００３１】
第３の発明の観点の第２の表現は、モバイル通信端末内の運動スケジュールに計画された運動項目を追加することを可能にするモバイル通信端末であって、計画された運動項目における計画された開始時間に対するユーザー入力を受信するための手段、計画された運動項目の計画された運動タイプに対するユーザー入力を受信するための手段、計画された運動項目と関連付けられることになる音楽プレイリストを決定するための手段、及び計画された運動項目と関連付けられた運動の開始が確定されたとき、プレイリストを再生するための手段を有する。
【００３２】
第３の発明の観点の第３の表現は、モバイル通信端末内の運動スケジュールに計画された運動項目を追加することを可能にするモバイル通信端末であって、ディスプレイ、キーパッド及び制御器を有し、制御器は計画された運動項目における計画された開始時間に対するユーザー入力を受信するよう構成され、制御器は計画された運動項目の計画された運動タイプに対するユーザー入力を受信するよう構成され、制御器は計画された運動項目と関連付けられることになる音楽プレイリストを決定するよう構成され、及び制御器は計画された運動項目と関連付けられた運動の開始が確定されたとき、プレイリストを再生するよう構成される。
【００３３】
第３の発明の観点の第４の表現は、モバイル通信端末内で実行されるとき、第３の発明の観点の第１の表現に従い本方法を実行させるためのプログラムを記録したコンピュータ読み取り可能な記録媒体である。
【００３４】
本発明のその他の目的、特徴、及び利点は、以下の詳細な開示、添付の独立請求項、及び図面から明らかとなる。
【００３５】
一般的に、請求項内で使用される全ての用語は、ここで明確に別の方法で定義されないなら、その技術分野内のそれらの通常の意味に従い解釈されるべきである。「ｅｌｅｍｅｎｔ、ｄｅｖｉｃｅ、ｃｏｍｐｏｎｅｎｔ、ｍｅａｎｓ、ｓｔｅｐなど」に対する全ての言及は、明確に別の方法で記載されないなら、ｅｌｅｍｅｎｔ、ｄｅｖｉｃｅ、ｃｏｍｐｏｎｅｎｔ、ｍｅａｎｓ、ｓｔｅｐなどの少なくとも１つの事例に言及するものとして公然と解釈されるべきである。ここで開示される任意の方法のステップは、明確に記載されないなら、開示された正確な順序で実行される必要はない。
【発明を実施するための最良の形態】
【００３６】
本発明は、これより、添付の図面を参考により完全に記載され、本発明の特定の実施例が示される。しかし、この発明は、多くの様々な形式により具体化することができ、ここで説明される実施例に制限されるものとして理解すべきではない。むしろ、これらの実施例は実例の手段として提供され、このため、この開示は詳細及び完全なものとなり、本発明の範囲を当業者に完全に伝達することになる。全体を通して、同類の番号は同類の要素を参照する。
【００３７】
図１は、本発明が適用されるセルラー通信システムの例を示す。図１の通信システムにおいて、セルラー音声電話、ｗｗｗ／ｗａｐブラウジング、セルラービデオ通信、データ通信、ファクシミリ伝送、音楽伝送、静止画伝送、ビデオ伝送、電子メッセージ伝送及び電子取引きなどの様々な電気通信サービスが、本発明によるモバイル端末１００と、その他モバイル端末１０６又は固定電話１３２などのその他の装置との間で実行される。モバイル端末１００の異なる実施例において、及び異なる状況下で、上で参照した電気通信サービスの様々なものが利用可能である、又は利用可能でないことに注意する。本発明は、この観点で、サービスの任意の特定のセットに制限されない。
【００３８】
モバイル端末１００、１０６は、基地局１０４、１０９を介し、ＲＦリンク１０２、１０８を通じて、モバイル通信ネットワーク１１０に接続される。モバイル通信ネットワーク１１０は、ＧＳＭ、ＵＭＴＳ、Ｄ−ＡＭＰＳ、ＣＤＭＡ２０００、ＦＯＭＡ及びＴＤ−ＳＣＤＭＡなど、商業的に利用可能なモバイル通信標準に従うものとできる。
【００３９】
モバイル通信ネットワーク１１０は、インターネット又はその一部とできる広域ネットワーク１２０に動作可能なように接続される。インターネットクライアントコンピュータ１２６のように、インターネットサーバー１２２は、データ記憶装置１２４を有し、広域ネットワーク１２０に接続される。サーバー１２２は、モバイル端末１００にｗｗｗ／ｗａｐコンテンツをサービスすることが可能なｗｗｗ／ｗａｐサーバーをホスト（ｈｏｓｔ）できる。
【００４０】
公衆交換電話ネットワーク（ＰＳＴＮ：ｐｕｂｌｉｃ  ｓｗｉｔｃｈｅｄ  ｔｅｌｅｐｈｏｎｅ  ｎｅｔｗｏｒｋ）１３０は、良く知られた方法で、モバイル通信ネットワーク１１０に接続される。固定電話１３２を含む様々な電話端末がＰＳＴＮ１３０に接続される。
【００４１】
モバイル端末１００は、ローカルリンク１０１を介し、１以上のローカル装置１０３と局所的に通信することもできる。ローカルリンクは、ブルートゥース（Ｂｌｕｅｔｏｏｔｈ（登録商標））、ユニバーサルシリアルバス（ＵＳＢ）リンク、無線ユニバーサルシリアルバス（ＷＵＳＢ）リンク、ＩＥＥＥ  ８０２．１１ワイヤレスローカルエリアネットワークリンク、ＲＳ−２３２シリアルリンクなど、制限された範囲を伴う任意のタイプのリンクとできる。ローカル装置１０３は、例えば、ローカルリンク１０１上でモバイル端末１００に測定値を伝達することができる様々なセンサーとできる。
【００４２】
モバイル端末１００の実施例２００は、図２ａで詳細に示される。モバイル端末２００は、スピーカー又はイヤホン２０２、マイクロホン２０５、ディスプレイ２０３及びキーセット２０４を有し、キーセットは共通ＩＴＵ−Ｔタイプ（文字「０」−「９」、「＊」及び「＃」を表すアルファベット−数値キーパッド）のキーパッド２０４ａ及びソフトキー２０４ｂ、２０４ｃなどの特定のその他キーおよびジョイスティック２１１又はその他タイプのナビゲーション入力装置を有することができる。
【００４３】
図２ｂにより明確に示されるように、モードスイッチボタン２１２も備えられる。ボタンは、モバイル端末の動作モードを切り替えるために使用される。この実施例において、初期設定により、ボタンは上部位置にある。ユーザーがモードの切り替えを希望する時、ボタンは下部位置に動かされ、及び解除され、その後、ボタンはバネや同様の機械的手段により初期の上部位置に戻る。当業者が理解するように、モードスイッチボタンの機能は、プッシュボタン又はその他適当なタイプの入力装置と簡単に取り換えることができる。
【００４４】
モバイル端末２００の内部要素、ソフトウェア及びプロトコル構成は、図３を参照に記述される。モバイル端末は、モバイル端末の全体の動作に対する責任があり、市販のＣＰＵ（「中央処理ユニット」）、ＤＳＰ（「デジタル信号プロセッサー」）、又はその他の電子的プログラム可能な論理デバイスにより好適に実装される制御器３００を有する。制御器３００は、ＲＡＭメモリ、ＲＯＭメモリ、ＥＥＰＲＯＭメモリ、フラッシュメモリ、又はそれらの任意の組み合わせなど関連する電子メモリ３０２を有する。メモリ３０２は、制御器３００により、様々な目的のために使用され、その１つは、モバイル端末内に様々なソフトウェアに対するデータ及びプログラム指示を格納するためのものである。ソフトウェアは、リアルタイムのオペレーティングシステム３２０、マン−マシンインタフェース（ＭＭＩ）３３４に対するドライバー、アプリケーションハンドラー３３２、及び様々なアプリケーションを含む。アプリケーションは、個人の運動アプリケーション３５０、メディアプレイヤーアプリケーション３６０、及び様々なその他アプリケーション３７０を含めることができ、その他アプリケーションは音声電話、ビデオ電話、ＳＭＳ、ＭＭＳ又はｅｍａｉｌの送信及び受信、ウェブブラウジング、インスタントメッセージアプリケーション、電話帳アプリケーション、カレンダーアプリケーション、制御パネルアプリケーション、カメラアプリケーション、１つ以上のビデオゲーム、ノートパッドアプリケーションなどのためのアプリケーションである。
【００４５】
ＭＭＩ３３４は、ＭＭＩドライバーと共に、１以上のハードウェア制御器も有し、ディスプレイ３３６／２０３、キーパッド３３８／２０４、及びマイクロホン、スピーカー、バイブレーター、着信音生成器、ＬＥＤインジケータなど様々なその他Ｉ／Ｏデバイスと連携する。よく知られているように、ユーザーは、その様に形成されたマン−マシンインタフェースを通しモバイル端末を操作することができる。
【００４６】
ソフトウェアは、様々なモジュール、プロトコルスタック、ドライバーなども有し、これらは３３０として共通に示され、ＲＦインタフェース３０６及びオプションとしてローカル接続性のためのブルートゥースインタフェース３０８及び／又はＩｒＤＡインタフェース３１０に対する通信サービス（伝送、ネットワーク及び接続性など）を供給する。ＲＦインタフェース３０６は、基地局とのワイヤレスリンク（例えば、図１におけるリンク１０２及び基地局１０４）を設立及び維持するための内部又は外部アンテナ及び適切な無線電気回路を有する。当業者においては良く知られたことではあるが、無線電気回路は、一連のアナログ及びデジタル電子要素を有すると共に、無線受信機及び送信機を形成する。これら要素は、とりわけ、バンドパスフィルター、増幅器、ミキサー、ローカル発振器、ローパスフィルター、ＡＤ／ＤＡコンバータなどを有する。
【００４７】
モバイル端末は、またＳＩＭカード３０４及び関連する読み取り器も有する。一般に知られたことであるが、ＳＩＭカード３０４は、プロセッサー、ローカルワーク及びデータメモリを有する。
【００４８】
図４は、本発明の実施例において動作モードをどのように切り替えることができるかを示す。図２ａのモバイル端末２００などのモバイル端末４００は、図２ａのディスプレイ２０３などのディスプレイ４０３、図２ａのジョイスティック２１１などのジョイスティック４１１、及びユーザーが動作モードを切り替えることを可能とするための、図２ａのモード切替えボタン２１２などのモード切替えボタン４１２を有する。
【００４９】
動作モードは、モバイル端末４００が特定の方法で動作するモードである。例えば、図４は、電話モード４４０、運動モード４４１、及びメディアプレイヤーモード４４２の３つの動作モードを示す。
【００５０】
モバイル端末４００が電話モード４４０にあるとき、ユーザーが通常のモバイル端末として動作することを期待するようモバイル端末は動作する。言い換えると、メニューシステム及び／又はショートカットは、ユーザーが、音声電話、ｗｗｗ／ｗａｐブラウジング、ビデオ電話、電子メッセージ（例えば、ＳＭＳ、ＭＭＳ、ｅｍａｉｌ、インスタントメッセージ）、デジタル画像又はビデオ記録、電子ゲーム、カレンダー／管理／時間プランナー、ワードプロセッサーなどの希望する機能を実行するようモバイル端末に指示することを可能にする。
【００５１】
モバイル端末４００が運動モード４４１にあるとき、モバイル端末の主目的はユーザーに、ユーザーの身体運動に関連するアプリケーションを提供することである。このモードにおいて、モバイル端末はランニング、サイクリングなど、運動することをサポートできる。
【００５２】
１つの実施例において、加速度計がモバイル端末４００内に一体化される。その他の実施例において、外部加速度計が、例えば、図１のローカルリンク１０１などのローカルリンク上でモバイル端末４００に接続される。モバイル端末がユーザーにより運ばれる間、加速度計は加速度、それ故にユーザーが運ぶ歩数を検出できる。加速度計がモバイル端末４００に一体化又は接続されるとき、モバイル端末は１日の移動を自動的に測定する。ユーザーが、体重、身長など個人情報を事前に入力しているのなら、モバイル端末４００は、データを加速度計から、進んだ距離及び消費カロリーなどその他の測定に変換することができる。任意には、正確な距離測定を可能とするため、ＧＰＳ（Ｇｌｏｂａｌ  Ｐｏｓｉｔｉｏｎｉｎｇ  Ｓｙｓｔｅｍ）受信機が、モバイル端末４００内に一体化される、又は接続されるかの一方とできる。また、心拍を検出し、心拍数を計算するため、外部の心拍モニターをモバイル端末４００に接続することができる。
【００５３】
モバイル端末４００がメディアプレイヤーモード４４２にあるとき、モバイル端末の主目的はユーザーにメディアを再生することである。例えば、メディアプレイヤーは音楽又はＭＰ３（ｍｐｅｇ−１オーディオレイヤ３）ファイル、ＡＡＣ（ａｄｖａｎｃｅｄ  ａｕｄｉｏ  ｃｏｄｉｎｇ）ファイル又はｏｇｇファイルなど音楽ファイルを再生することができる。任意には、メディアプレイヤーは、ＦＭ（周波数変調）ラジオを聞くため、又はＭＰＥＧ−２、ＭＰＥＧ−４又はＨ．３２３などの標準に従いビデオファイルを再生するためにも使用できる。
【００５４】
ユーザーがモードスイッチボタン４１２で動作モードを切り替えると、モードは連続的に切り替わる。図による実施例では、順に、電話モード４４０、運動モード４４１、及びメディアプレイヤーモード４４２からなる動作モードのリストがある。この結果、モバイル端末４００が電話モード４４０にあり、ユーザーがモードスイッチボタン４１２を作動させた場合、電話は運動モード４４１に切り替わる。同様に、モバイル端末４００が運動モード４４１にあり、ユーザーがモードスイッチボタン４１２を作動させた場合、電話はメディアプレイヤーモード４４２に切り替わる。最後に、モバイル端末４００がメディアプレイヤーモード４４２にあり、ユーザーがモードスイッチボタン４１２を作動させた場合、電話は一巡し、電話モード４４０に切り替わる。
【００５５】
どのモードが現在使用されているか、ユーザーが簡単に確定することを可能とするため、ユーザーインタフェースの要素は各モードに対し固有である。例えば、ジョイスティック４１１の中央に位置するライトが色を変化できる、ディスプレイ４０３のバックグランドが異なる色若しくは外観を持つ、色及びフォントを用いたユーザーインタフェースの全体テーマが変化できるなど、どのモードが現在アクティブであるかをユーザーが見ることを可能とするよう変わることができる、多数の特徴的なユーザーインタフェース要素がある。一つの実施例において、ディスプレイ４０３の上部のアイコンのセットの１つが、どのモードがアクティブかを示すために強調される。
【００５６】
モードチェンジは、音楽効果も変えることができる。例えば、電話モード４４０において、ボタンを押す、メニューに入る、メニューを出るなどの行為に対し、音は分離又は無しとさえでき、一方、運動モード４４１において、運動中のユーザーに明らかなフィードバックを与えるため、これら行為に対し、明確及び音量の大きい音が再生される。メディアプレイヤーモード４４２は、実行された行為についてユーザーにフィードバックを与えるため、上記した行為において、全く異なる、より格好良く（ｃｏｏｌ）又は自然（ａｍｂｉｅｎｔ）の音の方法を有することができ、一方で、音楽を聴くことの状態を過度には妨げない。任意には、音の方法は、ヘッドホンがモバイル端末４００に接続されているかどうかに応じて、更に変わることができる。音の変化は、全く異なる音にする必要はない。変化は、音に適用される効果とすることができる。例えば、電話モードにおけるボタン押しに対する音は、メディアプレイヤーモードにおいても、ユーザーに親密性を与えながら、より自然な効果を与えるため、音に強い残響効果を持たせて、再使用することができる。
【００５７】
更に、実際のモードチェンジが生じたとき、一時的なユーザー表示を与えることができる。例えば、振動器がモードチェンジにおいて振動し、ここで振動は、全モードにおいて常に同一とする、又は各モードがそれに関連した特定の振動を持つ、のどちらか一方となる。更に、ダイアログがディスプレイ４０３に新たな動作モードの名前を示すことができる、又は新たなモードを発音する音効果若しくは音声合成器がユーザーに再生される。
【００５８】
モードを切り替えることができるが、非アクティブなモードの特定の適切な処理は、そのまま実行することができることに注意する。例えば、モバイル端末がどのモードにあるかに関わらず、運動アプリケーションは、バックグラウンドにおいて、ユーザーの歩数を数えることができる。同様に、モバイル端末が運動モードにある間、メディアプレイヤーはユーザーにＦＭラジオ局を聞かせることができ、又は、電話アプリケーションは、電話着信が検出された場合、現在の処理を一時的に中断できる。
【００５９】
図５ａ−ｄは、ユーザーが、どのように図２ａのモバイル端末内の運動アプリケーションのレイアウトに作用できるかを示す説明図である。モバイル端末は、あらかじめ運動モードに設定されている。
【００６０】
例えば、オプションメニューを通して、ユーザーが運動スクリーンの初期レイアウトを変えることを希望していると示したとき、図５ａの表示５２０などの表示がディスプレイ上に表示される。ここで、ユーザーは、彼／彼女の好みに合致したレイアウトを選択する能力を有する。この例における表示５２０において、利用可能な４つのメニュー項目があり、各々は１つのレイアウトに対応する。メニュー項目５５０は、名前「ライバルレイアウト」を伴うレイアウトに相当し、対抗する時間、距離、ｋｃａｌ及び時間の初期測定値を持つ。メニュー項目５５１は、名前「ランニングレイアウト」を伴うレイアウトに相当し、時間、ｋｃａｌ及び距離の初期測定値を持つ。メニュー項目５５２は、名前「ウォーキングレイアウト」を伴うレイアウトに相当し、時間及び距離の初期測定値を持つ。この例の最後に、メニュー項目５５３は、名前「シンプルレイアウト」を伴うレイアウトに相当し、時間の初期測定値を持つ。代わりとして、レース対抗、ランニング、ウォーキングなど、ユーザーがどのトレーニングプログラムを選択したかに従い、レイアウトは自動的に選択される。
【００６１】
レイアウトが選択されると、ユーザーは、表示されることになる測定に関連する運動を変更できる。例えば、ユーザーが図５ａのランニングレイアウトを選択し、運動測定を変更することを指示したなら、図５ｂの表示５２１などの表示が示される。ここで、３つのメニュー項目があり、上部コンテナに対する１つのメニュー項目５５６、底部左のコンテナに対する１つのメニュー項目５５７、底部右のコンテナに対する１つのメニュー項目５５８である。メニュー項目の数は、当該レイアウトにおけるコンテナ又はフィールドの数に対応する。コンテナは、測定を示すために使用できるレイアウトの単なる空間である。各コンテナは、それに既に割り当てられた初期の測定を有するが、ユーザーは、各コンテナ内にどの測定を表示させるべきかを変える能力を有する。ユーザーが選択可能な測定の例は、距離、時間、消費カロリー、スピード、歩数、歩行強度、マイル当たりの時間（ｍｉｎｕｔｅｓ）、キロメートル当たりの時間、距離グラフ、スピードグラフ、及び強度グラフである。
【００６２】
ユーザーが運動を開始すると、図５ｃの表示５２２の様な表示が示される。図５ｂの表示５２１に対応し、上部コンテナ５６０は時間を示し、底部左コンテナ５６１は消費カロリーｋｃａｌを示し、及び底部右コンテナ５６２は運動の開始からの距離を示す。
【００６３】
図５ｃの表示５２１が初期表示となるよう構成されているが、ユーザーは運動中に必要により、その他の表示に切り替えることもできる。例えば、ユーザーはスクリーン上を軽く叩くことができ、これはモバイル端末内の動きセンサーで検出され、携帯電話上の表示の切り替えを生じさせる。あるいは、ユーザーは、表示切替えのため、ボタンを押す、又は音声命令を発することができる。例えば、第２の表示は、図５ｄで示される表示５２３とできる。ここで、ユーザーは距離を表すテキスト及びグラフィックスの両方を見ることができる。グラフィックスは、現在の走路（ｔｒａｃｋ）のどこまで到達したかを示す。更なる表示は、同一のユーザー入力を再度発することにより、ユーザーによりディスプレイ上に示される。望ましくは、レイアウトの循環リストがある。
【００６４】
初期レイアウトがモバイル端末により決定された後、モバイル端末は２以上のユーザー定義可能なレイアウト又は追加のレイアウトを持つよう構成することができる。例えば、追加のレイアウトは、どのトレーニングプログラムが使用されているか、又は、それは一日若しくは週のどの時間かに依存する。
【００６５】
図６は、図２ａのモバイル端末と外部装置６７０−６７３の間の通信を説明する説明図である。通信は、図１のローカルリンク１０１などのローカルリンク６０１上で行われる。
【００６６】
モバイル端末と外部装置の間の通信を提供するため、以下のように接続プロセスが進む。最初に、モバイル端末が外部装置の存在を検出する。これは装置に対してポーリングするモバイル端末を通して生じることができ、又は装置自体が伝達を開始できる。続いて、外部装置とモバイル端末間で、通信チャネルが設定される。通信チャネルが設定されると、双方向通信が可能となる。
【００６７】
例えば、外部装置が、リモート入力装置６７０、動きセンサー装置６７１、ＧＰＳ受信機６７２、又はその他適切な外部装置６７３とできる。
【００６８】
リモート入力装置は、例えば、その上に１以上のボタンを有する装置である。装置は、ユーザーにとって便利な場所に備え付けることができ、それにより、リモート装置への入力は、モバイル端末内の運動アプリケーションによる適切な行為に対し使用することができる。例えば、リモート入力装置は自転車のハンドル上の親指付近に取り付けることができ、これにより、ユーザーがゴールラインなどのトラックの特定位置を通過する度に、ユーザーがボタンを押すことが可能となる。リモート入力装置上のボタンへのそのような押圧の回数の収集を用いることにより、運動アプリケーションはラップタイムを計算することができ、彼又は彼女が自転車乗車を終えた後、ユーザーはラップタイムを分析できる。あるいは又は更に、音声合成器を用いて、ユーザーが装着できるヘッドセットでラップタイムが利用できるようになると、運動アプリケーションはラップタイムを読み出すことができる。
【００６９】
加速度計などの動きセンサーがモバイル端末自体内に備えられていない場合、外部動きセンサー６７１がモバイル端末に接続できる。そして動きセンサー６７１は、動きセンサーが適合する、上記の全ての使用に対し使用される。あるいは又は更に、動きセンサーはマウンテンバイクなどの自転車上に取り付けることができる。そして運動アプリケーションにより収集された動きデータは、自転車が走る走路の粗さを決定するために使用される。粗さは時間上で測定され、ユーザーには走路の粗さの魅力のある概観を与えるグラフが提示される。そのようなグラフの縦軸は典型的には粗さを表し、横軸は典型的には時間又は距離を表す。
【００７０】
外部動きセンサーのその他の使用は、スケートボード用である。動きセンサーがスケートボード上に取り付けられた場合、動きデータは、ユーザーの技術レベルを決定するため、運動アプリケーションにより使用される。典型的には、ユーザーが初心者の場合、動きは不安定でよろめく。中級のユーザーにおいては、動きはより滑らかであり、上級ユーザーにおいては、統制のとれた方法であるが、動きはより活動的であり、ユーザーが様々な仕掛けを実行することが示される。
【００７１】
ＧＰＳ受信機６７２がモバイル端末に接続される場合、位置に関するデータが運動アプリケーション及び運動端末のその他アプリケーションに送られる。ＧＰＳは、正確なスピード及び時間測定を提供することもできる。これは、自転車乗り、又はモバイル端末及びＧＰＳ受信機が耐水であると仮定し、船漕ぎのような運動に対し特に有効である。そして、これらのスポーツにおいて、動きセンサーを使用するなどのその他方法では困難なスピード及び距離に関するデータを運動アプリケーションは受信できる。また、ランニング時、動きセンサーはスピード及び距離の適正な表示を与えることができるが、ＧＰＳ受信機は更により正確な測定を与える。
【００７２】
適切と見なされる任意のその他外部装置６７３もまた、ローカルリンク６０１上で接続できる。
【００７３】
図７は、図２ａのモバイル端末において、分当たりのビートと運動強度の間の関係を説明する説明図である。
【００７４】
運動アプリケーションにおいて、ユーザーが彼／彼女の運動スケジュールを計画することを可能にするカレンダーへのアクセスが供給される。これは、１０ポンド減量する、又は週３時間運動するなど、ユーザーが、より一般的な目標に達することを補助する。ユーザーは、その結果、カレンダーに運動項目を追加し、予定の開始時間など必須のパラメータを入力することができる。ユーザーは、どの運動タイプが項目と関連すべきかを示すこともできる。運動タイプは、時間上の運動強度に影響し、例えば、インターバルトレーニング運動、最大強度、気軽、又は通常プログラムとすることができる。図７において、通常プログラムを説明する例を示す。縦軸において強度７７８が示され、横軸において時間７７９が示される。
【００７５】
第１の時間期間７８０、又は運動期間において、強度は比較的低い。それ故に、この期間における関連する分当たりのビート（ｂｐｍ）も比較的低く、この場合、１００−１２０ｂｐｍである。以下で記述するように、関連する曲は、ｂｐｍ測定値１００−１２０ｂｐｍを持つことになる。これは、運動の準備運動期間となる。
【００７６】
第２の期間７８１において、強度は第１の期間７８０より高い。それ故に、この期間における関連する分当たりのビート（ｂｐｍ）も高くなり、この場合、１２０−１３０ｂｐｍである。下で記述するように、関連する曲は、ｂｐｍ測定値１２０−１３０ｂｐｍを持つことになる。これは、運動の立ち上がり期間であり、強度は増加する。
【００７７】
第３のより長い期間７８２において、強度は第２期間７８１より更に高くなる。それ故に、この期間における関連する分当たりのビート（ｂｐｍ）も更に高く、この場合、１３０−１５０ｂｐｍである。下で記述するように、関連する曲は、ｂｐｍ測定値１３０−１５０ｂｐｍを持つことになる。これは、この例における運動の大部分の時間であり、ユーザーは比較的高速度でランニングなどを行う。
【００７８】
第４の期間７８３において、第１の期間７８０のように、再び強度は比較的低くなる。それ故に、この期間における関連する分当たりのビート（ｂｐｍ）も比較的低く、この場合、１００−１２０ｂｐｍである。以下で記述するように、関連する曲は、ｂｐｍ測定値１００−１２０ｂｐｍを持つことになる。これは、運動のクールダウン期間であり、運動が終わる前に強度が減少する。
【００７９】
その他の運動タイプは、各々の強度を持つ時間期間のその他の設定を有することになる。これらその他の運動タイプは、ここで説明されていないが、任意のタイプの運動タイプが分当たりのビートに関連することができ、このため、任意のタイプの運動タイプが本発明の範囲内となる。
【００８０】
図８は、図２aのモバイル端末で利用可能な曲に関連したデータを含む表を説明する説明図である。
【００８１】
表は、表内の各表項目に識別を与える見出しＩＤ８８５、曲名８８６、ｂｐｍ８８７、及びアーチスト、アルバム、ジャンル、編曲者、録音年、トラック番号、星評価などのその他見出し８８８を有する。
【００８２】
この例となる表は、５つの表項目８８９−８９３を有する。これら表項目は、図７の運動タイプ及び各期間におけるｂｐｍ範囲と併せて考えることができる。第１の期間７８０及び第４の期間７８３は、表項目８９０、８９１及び８９３に合致したｂｐｍ範囲を有する。第２の期間７８１は、表項目８９２に合致したｂｐｍ範囲を有し、第３の期間７８２は、表項目８８９に合致したｂｐｍ範囲を有する。
【００８３】
選択されたカレンダー項目に対する運動タイプ間の関連を用いて、運動タイプに合致する曲を含むプレイリストを生成することができる。特定の期間に対し選択するための幾つかの曲があるとき、ユーザーは手動で曲を選択することができ、又はモバイル端末はどの曲若しくは複数曲が再生されるべきかを選択することができる。モバイル端末は、最も再生される曲が最初に選択される、曲がランダムに選択されるなど、任意の適切な選択基準を用いて曲を選択することができる。１つの時間期間に一致するよう決定された曲又は複数曲がその期間の間隔より長い連結された間隔を有する場合、曲又は複数曲は、指定の時間期間と合致させるため、プレイリスト内で切り詰められる。あるいは、間隔とその期間における曲又は複数曲が適合するように期間が調整される。
【００８４】
運動カレンダー内のカレンダー項目における運動タイプと合致するプレイリストは、このように生成される。
【００８５】
本発明は、大部分は、幾つかの実施例を参照して、上で記述してきた。しかし、当業者には容易に理解されるように、上で開示したもの以外の実施例が、添付の特許請求項で定義されるように、本発明の範囲内で同様に可能である。
【図面の簡単な説明】
【００８６】
【図１】本発明が適用される環境の例として、セルラー通信システムの説明図である。
【図２ａ】本発明の実施例によるモバイル端末を説明する正面図である。
【図２ｂ】図２ａのモバイル端末を説明する側面図である。
【図３】図２ａ及び図２ｂに示されるモバイル端末の内部要素、ソフトウェア及びプロトコル構造を表すブロックダイヤグラムである。
【図４】本発明の実施例において、どのように動作モードが切り替わるかを示す説明図である。
【図５ａ】図２ａのモバイル端末内の運動アプリケーションのレイアウトにユーザーがどのように作用できるかを示す説明図である。
【図５ｂ】図２ａのモバイル端末内の運動アプリケーションのレイアウトにユーザーがどのように作用できるかを示す説明図である。
【図５ｃ】図２ａのモバイル端末内の運動アプリケーションのレイアウトにユーザーがどのように作用できるかを示す説明図である。
【図５ｄ】図２ａのモバイル端末内の運動アプリケーションのレイアウトにユーザーがどのように作用できるかを示す説明図である。
【図６】図２ａのモバイル端末と外部装置の間の通信を示す説明図である。
【図７】図２ａのモバイル端末内の分当たりのビートと運動強度の間の関係を示す説明図である。
【図８】図２ａのモバイル端末に利用可能な曲に関連するデータを有する表を示す説明図である。
【図１】
2009536486.tif 000003
【図２ａ】
2009536486.tif 000004
【図２ｂ】
2009536486.tif 000005
【図３】
2009536486.tif 000006
【図４】
2009536486.tif 000007
【図５ａ】
2009536486.tif 000008
【図５ｂ】
2009536486.tif 000009
【図５ｃ】
2009536486.tif 000010
【図５ｄ】
2009536486.tif 000011
【図６】
2009536486.tif 000012
【図７】
2009536486.tif 000013
【図８】
2009536486.tif 000014
【国際調査報告】
2009536486.tif 000015
2009536486.tif 000016
2009536486.tif 000017
2009536486.tif 000018
2009536486.tif 000019
2009536486.tif 000020